(57)【要約】【課題】  相対的に小さいサイズのリンであっても当該リンと連結固定することなく、リン棒による打撃でも容易に横転しないリン布団を提供する。【解決手段】  リン布団は、織布製の袋状の外装３０と、該外装３０内に包入されたクッション性を有する不織布製の袋状の内装２０と、該内装２０内に包入された環体１０とを備えており、環体１０は外装３０の略中央に位置するように構成されている。【選択図】  図２
0003215696.tif 000002
【実用新案登録請求の範囲】
【請求項１】
リンを載置するためのリン布団において、
前記リンの底部を担持する環状の環体と、クッション性を有する不織布を袋状にしてなり、前記環体が包入された内装と、織布を袋状にしてなり、前記内装が包入された外装とを備えることを特徴とするリン布団。
【請求項２】
前記環体は、その縦断面が短径と長径とを有する略円形になしてあり、前記長径が当該環体の径方向へなるようにしてある請求項１記載のリン布団。
【請求項３】
前記内装の内寸は前記環体の寸法より一回りだけ大きくしてあり、前記外装の内寸は前記内装の外寸より一回りだけ大きくしてあり、前記外装及び内装はその中央位置で対向する両織布及び両不織布を逢着させてある請求項１又は２記載のリン布団。
【請求項４】
前記環体の外径は４０ｍｍ程度から５０ｍｍ程度までの寸法になしてあり、環体の内径は２０ｍｍ程度から２５ｍｍ程度までの寸法になしてあり、環体の高さは７ｍｍ程度から１０ｍｍ程度までの寸法になしてあり、
前記内装の内寸は、環体の外径と高さの和に６ｍｍ程度から９ｍｍ程度加えた寸法になしてあり、
前記外装の内寸は、内装の外寸に４ｍｍ程度から６ｍｍ程度加えた寸法になしてある
請求項３記載のリン布団。
【請求項５】
前記環体の質量は８ｇ程度から１５ｇ程度までになしてある請求項１から４のいずれかに記載のリン布団。
【考案の詳細な説明】
【技術分野】
【０００１】
本考案は、仏具として使用されるリンを載置するためのリン布団に関する。
【背景技術】
【０００２】
仏具として使用されるリンは略半球形をなしており、鈴又は鐘とも称される。かかるリンをリン台、仏壇又は経机上に載置する際には、これらとリンとの間にリン布団を介装させて、疵の防止及び音響の向上が図られている。そのようなリン布団として後述する特許文献１には次のようなものが開示されている。
【０００３】
図５は特許文献１に開示された仏具を示す縦断面図であり、図中、Ｒはリン、１００はリン布団、２００はリン台である。本仏具はリン台２００上に、リン布団１００及びリンＲをこの順に載置し、これらリンＲ、リン布団１００及びリン台２００を相互に連結固定して構成されている。すなわち、リンＲは金属材を鉢状に成形してなり、リンＲの底面中心位置には、当該底面を貫通する第１貫通孔が開設してある。一方、リン布団１００は、布材を前記リンＲの外径と略同じ外径の短寸円柱状に縫製した袋体１０１の内部に綿を密に充填してなり、リン布団１００には、当該リン布団１００の中心軸上を貫通する第２貫通孔が穿設してある。
【０００４】
一方、リン台２００は有天円錐台形状をなしており、リン台２００の外周面に固定した受け部４００にはリン棒５００が載置してある。このリン台２００の天井中心位置には、当該天井を貫通する第３貫通孔が開設してある。そして、所要の脚部寸法を有するネジ部材３００の頭部をリンＲの内底部側に位置させた姿勢で、当該ネジ部材３００を前述した第１貫通孔、第２貫通孔及び第３貫通孔に貫通させ、ネジ部材３００の先端に外嵌させたナット３０１を締め付けることによって、リンＲ、リン布団１００及びリン台２００を相互に連結固定してある。
【０００５】
このような仏具にあっては、リンＲ、リン布団１００及びリン台２００がネジ部材３００によって連結固定してあるため、当該仏具を移動させる際に、不注意でリンＲを落下させて、当該リンＲにひびを入れ、また仏壇を疵付けることが回避される。
【先行技術文献】
【特許文献】
【０００６】
【特許文献１】実用新案登録第３００１８５９号公報
【考案の概要】
【考案が解決しようとする課題】
【０００７】
しかしながら、このような従来の仏具にあっては、リンＲ、リン布団１００及びリン台２００がネジ部材３００によって連結固定してあるため、リンＲを打ち鳴らした際の音響が悪いという問題があった。また、このような連結固定状態にある仏具ではリンＲの裏底部を清掃できないため、例えばリンＲの裏底面に錆が発生するといった支障が生じていた場合であっても、使用者はそれに気付くことができない。これに対しては、ナット３０１及びネジ部材３００を取り外し、リンＲ、リン布団１００及びリン台２００を互いに分離すればよいが、ナット３０１及びネジ部材３００を取り外し、及び再取り付けの作業が煩わしい。これらの問題を解決するには、第１貫通孔乃至第３貫通孔並びにナット３０１及びネジ部材３００を設けることなく、リン台上にリン布団及びリンをこの順に載置すればよい。
【０００８】
一方、マンション及びアパート等、室内が比較的狭い住宅にあっては、タンスといった家具又は出窓等、狭い場所にも載置可能な小さなサイズの仏壇が導入されることが多く、そのような仏壇には従来のリンより小さいサイズのリンが適用されている。かかる小サイズのリンに対して、図５に示した如き従来のリン布団を相互に連結固定することなく用いると、当該リンをリン棒によって打撃した際に容易に横転してしまうという問題があった。
【０００９】
本考案は斯かる事情に鑑みてなされたものであって、相対的に小さいサイズのリンであっても当該リンと連結固定することなく、リン棒による打撃でも容易に横転しないリン布団を提供する。
【課題を解決するための手段】
【００１０】
（１）本考案に係るリン布団は、リンを載置するためのリン布団において、前記リンの底部を担持する環状の環体と、クッション性を有する不織布を袋状にしてなり、前記環体が包入された内装と、織布を袋状にしてなり、前記内装が包入された外装とを備えることを特徴とする。
【００１１】
本考案のリン布団にあっては、リンの底部を担持する環状の環体を備えており、この環体は、クッション性を有する不織布を袋状にしてなる内装内に包入してある。そして、かかる内装を、織布を袋状にしてなる外装内に包入させてある。
【００１２】
環状の環体によってリンの底部を担持するため、リンの底部の一部が環体内に嵌入する一方、環体がリンの周面に外嵌し、これによって相対的に小さいサイズのリンであっても、当該リンをしっかり保持することができるため、リン布団とその上に載置したリンとを連結固定することなく、リン棒によって打撃された場合でも、リンは容易に横転しない。一方、環体は、クッション性を有する不織布を袋状にしてなる内装内に包入してあるため、リンを打ち鳴らした際に生じる音響に悪影響を及ぼさない。
【００１３】
（２）本考案に係るリン布団は、前記環体は、その縦断面が短径と長径とを有する略円形になしてあり、前記長径が当該環体の径方向へなるようにしてあることを特徴とする。
【００１４】
本考案のリン布団にあっては、前述した環体は、その縦断面が楕円形又はレモン形等の短径と長径とを有する略円形になしてあり、前記長径が当該環体の径方向へなるように、即ち、略円形の長径が横臥した縦断面の形状にしてある。このような縦断面の形状の環体にあっては、縦断面の形状が真円形の場合に比べて平面上に設置した際の安定性が高く、これによって、環体が担持するリンをリン棒によって打撃した場合でも、リンへの衝撃を受け止めて、リンの横転を防止することができる。
【００１５】
（３）本考案に係るリン布団は、前記内装の内寸は前記環体の寸法より一回りだけ大きくしてあり、前記外装の内寸は前記内装の外寸より一回りだけ大きくしてあり、前記外装及び内装はその中央位置で対向する両織布及び両不織布を逢着させてあることを特徴とする。
【００１６】
本考案のリン布団にあっては、内装の内寸は前記環体の寸法より一回りだけ大きくしてあり、また、外装の内寸は前記内装の外寸より一回りだけ大きくしてあるため、環体は外装及び内装の中央位置を囲繞するように配置される。そして、外装及び内装はその中央位置で対向する両織布及び両不織布を逢着させてある。これによって、内装及び環体によって外装が展張して当該外装に張力が発生し、この張力によって内装及び該内装内に包入された環体が拘束されるため、環体の外装内での移動が抑制される。従って、環体が担持するリンをリン棒によって打撃した場合の衝撃によっても、環体が外装内で殆ど移動せず、そのためリンの横転を防止することができる。
【００１７】
（４）本考案に係るリン布団は、前記環体の外径は４０ｍｍ程度から５０ｍｍ程度までの寸法になしてあり、環体の内径は２０ｍｍ程度から２５ｍｍ程度までの寸法になしてあり、環体の高さは７ｍｍ程度から１０ｍｍ程度までの寸法になしてあり、前記内装の内寸は、環体の外径と高さの和に６ｍｍ程度から９ｍｍ程度加えた寸法になしてあり、前記外装の内寸は、内装の外寸に４ｍｍ程度から６ｍｍ程度加えた寸法になしてあることを特徴とする。
【００１８】
本考案のリン布団にあっては、環体の外径は４０ｍｍ程度から５０ｍｍ程度までの寸法になしてあり、環体の内径は２０ｍｍ程度から２５ｍｍ程度までの寸法になしてあり、環体の高さは７ｍｍ程度から１０ｍｍ程度までの寸法になしてあり、内装の内寸は、環体の外径と高さの和に６ｍｍ程度から９ｍｍ程度加えた寸法になしてあり、外装の内寸は、内装の外寸に４ｍｍ程度から６ｍｍ程度加えた寸法になしてある。これによって内装の内寸は環体の寸法より一回りだけ大きく、また、外装の内寸は内装の外寸より一回りだけ大きい関係になっており、前同様、リンの横転を防止することができる。
【００１９】
（５）本考案に係るリン布団は、前記環体の質量は８ｇ程度から１５ｇ程度までになしてあることを特徴とする。
【００２０】
本考案のリン布団にあっては、環体の質量は８ｇ程度から１５ｇ程度までになしてある。環体の質量が８ｇ程度未満である場合、環体が軽量過ぎることによって、リンの横転を防止する作用が小さい。一方、環体の質量が１５ｇ程度を超えると、リン布団の流通経路における取り扱いに困難を生じ易い。これに対して、環体の質量が８ｇ程度から１５ｇ程度までである場合、リンの横転防止作用を十分に発揮することができるとともに、リン布団の流通経路においても容易に取り扱うことができる。
【図面の簡単な説明】
【００２１】
【図１】本考案に係るリン布団の外観斜視図である。
【図２】図１に示したリン布団の一部破断斜視図である。
【図３】図１に示したリン布団の製造工程を説明する説明図である。
【図４】図１に示したリン布団の使用様態を示す一部破断斜視図である。
【図５】特許文献１に開示された仏具を示す縦断面図である。
【考案を実施するための形態】
【００２２】
図１は本考案に係るリン布団の外観斜視図であり、図２は図１に示したリン布団の一部破断斜視図である。なお、両図中、対応する部分にはそれぞれ同じ番号が付してある。
【００２３】
図１及び図２に示したように、リン布団は、織布製の袋状の外装３０と、該外装３０内に包入されたクッション性を有する不織布製の袋状の内装２０と、該内装２０内に包入された環体１０とを備えており、環体１０は外装３０の略中央に位置するように構成されている。
【００２４】
すなわち、環体１０は８ｇ程度から１５ｇ程度までの適宜の質量を有する樹脂又は金属等を環状に成形してなり、金属製の環の表面を樹脂で被覆してもよい。この環体１０の外径は４０ｍｍ程度から５０ｍｍ程度までの適宜の寸法になしてあり、環体１０の内径は２０ｍｍ程度から２５ｍｍ程度までの適宜の寸法になしてある。また、環体１０の高さは７ｍｍ程度から１０ｍｍ程度までの適宜の寸法になしてある。
【００２５】
ここで、環体１０の質量が８ｇ程度未満である場合、環体１０が軽量過ぎることによって、リンの横転を防止する作用が小さい。一方、環体１０の質量が１５ｇ程度を超えると、リン布団の流通経路における取り扱いに困難を生じ易い。これに対して、環体１０の質量が８ｇ程度から１５ｇ程度までである場合、リンの横転防止作用を十分に発揮することができるとともに、リン布団の流通経路においても容易に取り扱うことができる。
【００２６】
また、環体１０の外径が４０ｍｍ程度未満であり、また環体１０の内径が２０ｍｍ程度未満である場合、担持する対象となるリンの直径が小さ過ぎて実用性に欠ける。一方、環体１０の外径が５０ｍｍ程度を超え、また、環体１０の内径が２５ｍｍ程度を超える場合、担持する対象となるリンの直径が大きく、従来のリン布団で十分に対応し得る。
【００２７】
これに対して、環体１０の外径が４０ｍｍ程度から５０ｍｍ程度までの適宜の寸法であり、環体１０の内径が２０ｍｍ程度から２５ｍｍ程度までの適宜の寸法である場合、直径が４０ｍｍ程度以上９０ｍｍ程度以下のリンを担持するのに適当な寸法である。すなわち、リンの底部の一部が環体１０内に嵌入する一方、環体１０がリンの周面に外嵌し、これによって相対的に小さいサイズのリンであっても、当該リンをしっかり保持することができるため、リン布団とその上に載置したリンとを連結固定することなく、リン棒によって打撃された場合でも、リンは容易に横転しない。
【００２８】
更に、環体１０の高さが７ｍｍ程度未満である場合、環体１０に担持するリンの底部がリン布団の配設面に当接する虞があり、かかる場合、リンの音響に悪影響が及ぼされる。一方、環体１０の高さが１０ｍｍ程度を超える場合、当該環体１０の安定が低くなり、担持するリンがリン棒によって打撃された場合に横転する虞がある。
【００２９】
ところで、この環体１０の縦断面は楕円形状又はレモン形等、長径及び短径を有する略円形になしてあり、当該長軸が環体１０の径方向と略平行になしてある（図２参照）。即ち、環体１０はその縦断面が略円形の長径が横臥した形状にしてある。これによって、環体１０を内蔵したリン布団の安定性、及び、当該リン布団上に載置されたリンの座り安定性が高い。また、このような縦断面の形状の環体１０にあっては、縦断面の形状が真円形の場合に比べて平面上に設置した際の安定性が高く、これによって、環体１０が担持するリンをリン棒によって打撃した場合でも、リンへの衝撃を受け止めて、リンの横転を防止することができる。一方、環体１０は長径及び短径を有する略円形になしてあるので、リン布団の天地を逆にした場合であっても、リン布団の安定性、及び、当該リン布団上に載置されたリンの座り安定性は変わらない。
【００３０】
一方、前述した内装２０は、例えばノーブンＳＲＨ１０５テープカット（サイカイ株式会社製）というように、その厚みが他の不織布より相対的に大きく、クッション性を有する不織布にて構成してあり、例えば、短冊状の不織布を二つ折りし、その周縁を逢着することによって、その周縁を塞止した袋状になしてある。なお、内装２０は、２枚の不織布を重ね合わせ、その周縁を逢着させることによって袋状になしてもよい。かかる内装２０の内寸は前述した環体１０の外寸より一回り大きくしてあり、後述する如く、環体１０を包入した内装２０の中央位置で、重ね合わさった両不織布を互いに逢着させた場合、環体１０によって内装２０が展張して内装２０に張力が発生し、該張力によって環体１０の内装２０内での移動を拘束し得るようになっている。
【００３１】
例えば、環体１０の外径が４４ｍｍ程度であり、環体１０の高さが８ｍｍ程度である場合、内装２０は一辺が６０ｍｍ程度の正方形になす。
【００３２】
つまり、内装２０の内寸は、環体１０の外径と高さの和に６ｍｍ程度から９ｍｍ程度加えた寸法になす。内装２０の内寸が、環体１０の外径と高さの和に６ｍｍ程度未満加えた寸法である場合は、内装２０内に環体１０を包入し得ない虞がある。一方、内装２０の内寸が、環体１０の外径と高さの和に９ｍｍ程度を超える寸法を加えた寸法である場合、リン布団上に載置したリンをリン棒によって打撃した場合に、内装２０内に包入させた環体１０が当該内装２０内で容易に移動し得、それによってリン布団上に載置したリンが横転する虞がある。
【００３３】
これに対して、内装２０の内寸は、環体１０の外径と高さの和に６ｍｍ程度から９ｍｍ程度加えた寸法である場合、内装２０内に環体１０をスムーズに包入し得る一方、内装２０内に包入させた環体１０が当該内装２０内で容易に移動し得ないため、リン布団上に載置したリンをリン棒によって打撃した場合に、当該リンが横転することを防止することができる。
【００３４】
一方、前述した外装３０は、天然繊維又は化学繊維を用いた織布にて構成してあり、例えば、２枚の織布を重ね合わせ、その一部を残して周縁を逢着させた後に、表裏を反転させ、開口部を逢着させることによって、その周縁を塞止した袋状になしてある。このとき、前述した如く環体１０を内蔵させた内装２０を前述した開口部から外装３０内へ挿入させておく。
【００３５】
かかる外装３０の外寸は前述した内装２０の外寸より一回り大きくしてある。例えば、内装２０が、一辺が６０ｍｍ程度の正方形である場合、外装は、一辺が６５ｍｍ程度の正方形になす。つまり、外装３０の内寸は、内装２０の外寸に４ｍｍ程度から６ｍｍ程度加えた寸法になす。これによって、環体１０を内蔵させた内装２０を外装３０内にスムーズに包入させることができる一方、包入させた内装２０の外装３０内での移動を拘束することができる。
【００３６】
これに対して、外装３０の内寸が、内装２０の外寸に４ｍｍ程度未満の寸法を加えた寸法である場合、環体１０を内蔵させた内装２０をスムーズに包入させることができない。一方、外装３０の内寸が、内装２０の外寸に６ｍｍ程度を超える寸法を加えた寸法である場合、リン布団上に載置したリンをリン棒によって打撃した場合に、外装３０内に包入させた内装２０及び環体１０が当該外装３０内で容易に移動し得、それによってリンが横転する虞がある。
【００３７】
そして、環体１０を内蔵させた内装２０が包入してある外装３０はその中央位置で、重ね合わさった両織布を互いに逢着させてある。このとき、逢着のための糸が、内装２０を構成する両不織布を貫通するため、両不織布も逢着される。このとき、内装２０及び環体１０によって外装３０が展張して当該外装３０に張力が発生し、この張力によって内装２０及び該内装２０内に包入された環体１０が拘束されるため、環体１０の外装３０内で移動することが抑制される。
【００３８】
図３は図１に示したリン布団の製造工程を説明する説明図である。
図３（ａ）に示したように、内装２０は、例えば、短冊状の不織布を二つ折りし、その両側縁を逢着することによって、開口部２１を有する袋状に形成し、該開口部２１から内部へ環体１０を挿入させた後、両不織布の開口部２１に臨む縁部を逢着することによって、内装２０内に環体１０を包入する。
【００３９】
一方、外装３０は、例えば、２枚の織布を重ね合わせ、その一部を残して周縁を逢着させた後に、表裏を反転させることによって、図３（ｂ）に示した如く、開口部３１を有する袋状に形成し、該開口部３１から内部へ、環体１０を包入させた内装２０を挿入させた後、その中央位置で、重ね合わさった外装３０の両織布及び内装２０の両不織布を互いに逢着させる。そして、両織布の開口部３１に臨む縁部を逢着することによってその周縁を塞止した袋状になして、外装３０内に内装２０及び環体１０を包入する。
【００４０】
図４は、図１に示したリン布団の使用様態を示す一部破断斜視図である。
図４に示したように、鉢形状のリンＲが、図１に示したリン布団１上の中央位置に載置してある。ここで、リン布団１上に載置するリンＲとしては、その直径が４０ｍｍ程度以上９０ｍｍ程度以下が適当である。
【００４１】
このようなリン布団１にあっては、前述した如く内部に環体１０が包入してあるため、環体１０によってリンＲの底部が担持され、リンＲの底部の一部が環体１０内に嵌入する一方、環体１０がリンＲの周面に外嵌し、これによって相対的に小さいサイズのリンＲであっても、当該リンＲをしっかり保持することができる。従って、リン布団１とその上に載置したリンＲとを連結固定することなく、リン棒（図示せず）によってリンＲが打撃された場合でも、当該リンＲは容易に横転しない。一方、前述した如く環体１０は、クッション性を有する内装２０内に包入してあるため、リンＲを打ち鳴らした際に生じる音響に悪影響を及ぼさない。
【００４２】
なお、図１〜図４に示したリン布団にあっては外装３０及び内装２０を四角形になした場合について示したが、本考案はこれに限らず、外装及び内装を多角形、円形、花形若しくは星形等の特定形状、又は不定形状になしてもよいことはいうまでもない。一方、必要に応じて内装２０と外装３０との間、又は内装２０内に綿といったクッション材を追加導入しておいてもよい。
【符号の説明】
【００４３】
１    リン布団
１０    環体
２０    内装
２１    開口部
３０    外装
３１    開口部
Ｒ    リン
【図１】
0003215696.tif 000003
【図２】
0003215696.tif 000004
【図３】
0003215696.tif 000005
【図４】
0003215696.tif 000006
【図５】
0003215696.tif 000007